(57)【要約】【課題】  高品位の画像を高速で印刷できる、安価なインクジェット記録ヘッドを提供する事である。【解決手段】  記録液吐出時に際し、記録素子基板の蓄熱，放熱を均一化させるために、チッププレートに開口部を設ける。  上記構成のより、印字品位を向上さるだけでなく、チッププレートの成型性向上と、ヘッドの軽量化を図る。【選択図】  図１
2006103037.tif 000002
【特許請求の範囲】
【請求項１】
液体を供給するための液体供給口が開口された第一のプレ−トと、
前記液体を吐出する吐出口列と、前記吐出口列から該液体を吐出するために利用されるエネルギーを発生する記録素子とを具備している第一の記録素子基板、及び第二の記録素子基板とを、
有するインクジェット記録ヘッドにおいて、
前記第一のプレートは吐出口列方向に対して直交する方向に、前記第一、第二の記録素子基板を並置し、
かつ前記第一のプレートは、前記第一、第二の記録素子基板の非設置部分に相当する部分に切り欠き部を有し、
前記きり欠き部は、第一の記録素子基板、およびまたは第二の記録素子基板の吐出口列配列方向における記録素子基板の幅と重複する領域を有し、
かつ前記切り欠き部の一辺は、前記第一の記録素子基板と、第二の記録素子基板とが並んでいる方向とほぼ平行であり、
かつ前記切り欠き部の一辺と対応する前期記録素子基板との間には、前記第一の記録素子基板と、第二の記録素子基板とが並んでいる方向とほぼ平行ではない切り欠き部の別のもう一辺が存在しない事を特徴とするインクジェット記録ヘッド。
【請求項２】
請求項１において、前記切り欠き部の一辺と、前記第一、第二の記録素子基板が並んでいる方向とほぼ平行である前記切り欠き部に対応する記録素子基板の一辺との最短距離と、
前記第一、第二の記録素子基板が並んでいる方向とほぼ平行である前記対応する記録素子基板の前記一辺と対向する別のもう一辺と、
前記第一、第二の記録素子基板が並んでいる方向とほぼ平行である第一のプレートを構成する辺のうちもっとも近接する辺との最短距離は、
ほぼ等しい事を特徴とするインクジェット記録ヘッド。
【請求項３】
液体を供給するための液体供給口が開口された第一のプレ−トと、
前記液体を吐出する吐出口列と、前記吐出口列から該液体を吐出するために利用されるエネルギーを発生する記録素子とを具備している第一の記録素子基板及び第二の記録素子基板とを、
有するインクジェット記録ヘッドにおいて、
前記第一のプレートは吐出口列方向に対して垂直な方向に、前記第一、第二の記録素子基板を並置し、
かつ前記第一のプレートは、前記第一、第二の記録素子基板の非設置部分に相当する部分に開口部を有し、
前記開口部は、第一の記録素子基板、およびまたは第二の記録素子基板の吐出口列配列方向における記録素子基板の幅と重複する領域を有し、
かつ開口部の一辺は、前記第一の記録素子基板と、第二の記録素子基板とが並んでいる方向とほぼ平行であり、
かつ前記開口部の一辺と対応する前期記録素子基板との間には、前記第一の記録素子基板と、第二の記録素子基板とが並んでいる方向とほぼ平行ではない前記開口部の別のもう一辺が存在しない事を特徴とするインクジェット記録ヘッド。
【請求項４】
請求項３において、前記開口部をなす一辺と、前記第一、第二の記録素子基板が並んでいる方向とほぼ平行である前記開口部に対応する記録素子基板の一辺との最短距離と、
前記第一、第二の記録素子基板が並んでいる方向とほぼ平行である前記開口部に対応する記録素子基板の前記一辺とは対向する別のもう一辺と、
前記第一、第二の記録素子基板が並んでいる方向とほぼ平行である第一のプレートを構成する辺のうちもっとも近接する一辺との最短距離はほぼ等しい事を特徴とするインクジェット記録ヘッド。
【発明の詳細な説明】
【技術分野】
【０００１】
本発明は、インク等の記録液を吐出して記録を行うインクジェット記録ヘッド、およびそのインクジェット記録ヘッドが装着されるインクジェット記録装置に関し、詳しくは、画像を高速に、かつ高精細で高画質な画像を記録するインクジェット記録ヘッドの構成に関するものである。
【０００２】
なお、本発明は、一般的なプリンターのほか、複写機、通信システムを有するファクシミリ、プリント部を有するワードプロセッサー等の装置、さらには各種処理装置と複合的に組み合わされた産業記録装置に適用することができる。
【背景技術】
【０００３】
インクジェット記録装置は、いわゆるノンインパクト記録方式の記録装置であり、さまざまなメディア（被記録媒体）に対して記録する事が可能である。記録時における騒音がほとんどないといった特徴があり、また記録を高速で行うことができる。このような事より、インクジェット記録装置は、プリンター、複写機、通信システムを有するファクシミリ、プリント部を有するワードプロセッサー等の記録機構を担う装置として広範な分野で用いられている。
【０００４】
インクジェット記録装置の構成としては、用紙等の被記録媒体を搬送する機構と、記録ヘッドが装着されるキャリッジと、被記録媒体の搬送路に交差する方向にキャリッジを往復移動させる機構とを有する構成が知られている。この構成では、用紙を所定の速度パターンで搬送し、それに合わせて、記録ヘッドを装着した記録ヘッドを往復移動させてスキャンし、その際、記録ヘッドから、所望の記録情報に応じて記録液を吐出させ記録をおこなう。すなわちシリアル記録方式であり、このようなシリアル記録方式の構成は、安価で製造することができ、また小型化が容易な事から、一般的な構成として広く用いられている。
【０００５】
インクジェット記録ヘッドの構成としては、代表的なものとして、液滴を吐出させる記録素子として電気熱変換素子を用いたものがある。この構成では、液体を電気熱変換素子によって加熱して気泡を生じさせ、それによって記録液を微小な吐出口から微小な液滴として吐出させる。電気熱変換素子を用いたインクジェット記録ヘッドとしては、電気熱変換素子が配列された基板に対して平行な方向に記録液を吐出させる方式のもの（エッジシュータ）と、基板に対して垂直な方向に記録液を吐出させる方式のもの（サイドシュータ）がある。
【０００６】
インクジェット記録ヘッドによって高精細な画質の記録を行うのに好適な方法として、特開平４−１０９４０号、特開平４−１０９４１号、特開平４−１０９４２号公報に大気連通方式の記録液滴吐出方法が開示されている。この方法は、発生した気泡を吐出口に到達するまで成長させて大気に連通させることによって、吐出する記録液滴の吐出量や吐出速度を安定させることができ、微小な液滴によって高精細な画像を記録する方法として適している。
【０００７】
また、特開平６−２８６１４９号公報には、比較的小液滴を飛翔させるのが容易であるサイドシュータ方式の記録ヘッドにおいて、上述した３つの公報に開示された大気連通方式で記録液滴を吐出できるようにした記録ヘッドとその製造方法が開示されている。そして、特開２００１−１３００４号公報には、上述の大気連通方式の記録液滴吐出方法において、インク吐出口の高マルチ化に特有のインクリフィルにかかる諸問題を解消して、特に優れた高速応答性および吐出性能を得るインクジェット記録ヘッドの構成が開示されている。
【０００８】
また、特開２００２−１９１１９号公報には、上述の大気連通方式の記録液滴吐出方法におい優れた高速応答性および吐出性能を得ながら、部品の材料費の低減、特に記録素子基板の集積化を進めた構成が開示されている。
【０００９】
図８に特開２００２−１９１１９号公報に記載されたインクジェット記録ヘッドの、斜め下方からみた分解斜視図を示す。記録ヘッドは、第一の記録素子基板８０１、第二の記録素子基板８０２、第一のプレート８０３、電気配線テープ８０４、第二のプレート８０５、タンクホルダー８０６、流路形成部材８０７、ジョイントシール８０８、フィルター８０９、シールゴム８１０、インク供給部材８１１から構成されている。
【００１０】
第一の記録素子基板８０１と、第二の記録素子基板８０２には、Ｓｉ基板の片面にインクを吐出するための複数の記録素子と、各記録素子に電力を供給するＡｌ等の電気配線とが成膜技術により形成され、この記録素子に対応した複数のインク流路と複数の吐出口８１２とがフォトリソグラフィ技術により形成されると共に、複数のインク流路にインクを供給するためのインク供給口が裏面に開口するように形成されている。
【００１１】
また、第一の記録素子基板８０１と、第二の記録素子基板８０２とは第１のプレート８０３に接着固定されており、ここには、前記第一の記録素子基板８０１と、第二の記録素子基板８０２とにインクを供給するためのインク供給口８１３が形成されている。
【００１２】
さらに、第１のプレート８０３には、開口部を有する第２のプレート８０５が接着固定されており、この第２のプレート８０５は、電気配線テープ８０４と第一の記録素子基板８０１とを電気的に接続されるよう電気配線テープ８０４を保持している。同様にこの第２のプレート８０５は、電気配線テープ８０４と第二の記録素子基板８０２とを電気的に接続されるよう電気配線テープ８０４を保持している。
【００１３】
この電気配線テープ８０４は、第一の記録素子基板８０１と、第二の記録素子基板８０２とにインクを吐出するための電気信号を印加するものであり、第一の記録素子基板８０１と第二の記録素子基板８０２とに対応する電気配線と、この電気配線端部に位置し本体からの電気信号を受け取るための外部信号入力端子８１４とを有しており、外部信号入力端子８１４は、インク供給部材８１１の背面側に位置決め固定される。
【００１４】
一方、インクタンクを着脱可能に保持するタンクホルダー８０６には、流路形成部材８０７が例えば超音波溶着により固定され、インクタンクから第１のプレート８０３に亘るインク流路８１５を形成している。
【００１５】
また、インクタンクとを係合するインク流路８１５のインクタンク側端部には、フィルター８０９が設けられており、外部からの塵埃の侵入を防止し得るようになっている。また、インクタンクとの係合部にはシールゴム８１０が装着され、前記係合部からのインクの蒸発を防止し得るようになっている。
【００１６】
さらに、前述のようにタンクホルダー８０６、流路形成部材８０７、フィルター８０９及びシールゴム８１０、インク供給部材８１１から構成されるタンクホルダー部と、第一の記録素子基板８０１、第二の記録素子基板８０２、第１のプレート８０３、電気配線テープ８０４、第２のプレート８０５から構成される、記録素子ユニットとを、ジョイントシール８０８を介し、押し圧接合等で結合する事によりヘッドを構成している。
【特許文献１】特開平４−１０９４０号公報
【特許文献２】特開平４−１０９４１号公報
【特許文献３】特開平４−１０９４２号公報
【特許文献４】特開平６−２８６１４９号公報
【特許文献５】特開２００１−１３００４号公報
【特許文献６】特開２００２−１９１１９号公報
【発明の開示】
【発明が解決しようとする課題】
【００１７】
近年、インクジェット記録装置については、例えばデジタルカメラで撮影した画像を出力するため、銀塩写真と同等の、高精細な画質の画像を高速で記録することが求められている。特開２００１−１３０００４号公報に開示されたような記録ヘッドの構成は、吐出する液滴を小さくし、吐出口を高密度に配置して、細かい画素を高密度に形成した画像を形成するのが比較的容易であり、また高速応答させるのも比較的容易である。このため、この構成は、高画質の画像（特にカラーの写真画像）を高速で記録するという要求に応えるのに適したものである。
【００１８】
特開２００２−１９１１９号公報には、上述の大気連通方式の記録液滴吐出方法におい優れた高速応答性および吐出性能を得ながら、ヘッドをコンパクトに作れるため、安価なヘッドを供給するに適したものである。
【００１９】
また、特開２００２−１９１１９号公報には、複数の記録素子基板を並列に、かつ記録素子基板が並んでいる方向と直行する方向にずらして第１のプレート上に配置する構成を示している。一つの記録素子基板からはモノクロの画像を形成するためのインクを吐出させ、別の記録素子基板からはカラー画像を形成するためのインクを飛ばす。並んでいる方向と直行する方向にずらす量を増やす事により、1スキャンで印刷できる幅がふえ、より高速での印字が可能になる。
【００２０】
特開２００１−１３０００４号公報と、特開２００２−１９１１９号公報の構成を組み合わせる事により、カラー（写真）画像、モノクロ画像、カラー（写真）モノクロ混在画像とも、高精細かつ高速な印字が可能となる。
【００２１】
しかしながら、上記の特許で、あらゆる画像でのさらなる高速、高画質を達成する事は困難である。図７は、図８のおける第一の記録素子基板８０１と、第二の記録素子基板８０２とが並列に、かつ記録素子基板が並んでいる方向と直行する方向にずらされて第１のプレート８０３に配置された部分の拡大図である。図７において、７０１は第一の記録素子基板、７０２は第二の記録素子基板、７０３は第一のプレートである。７０４は、記録素子基板が並んでいる方向と、ずらし方向が交差する位置でかつ、前記複数の記録素子基板上ではない位置Ｎである。第一の記録素子基板７０１からは、モノクロの画像を形成するためのインクを吐出させ、第二の記録素子基板からはカラー画像を形成するためのインクを飛ばす。第一のプレート７０３は、アルミナを主原料とするセラミック部材からなる。
【００２２】
このような、形態のヘッドで、カラーの高濃度の印字（２次色、３次色のべた印字）を高速（１ＰＡＳＳの双方向）でおこなうと、第二の記録素子基板７０２の位置Ｎ（７０４）に近い側と、遠い側で熱分布を有してしまう。なぜならば、第二の記録素子基板７０２の位置Ｎ（７０４）に近い側は、熱を伝導かつ蓄熱できる第一のプレート７０３が多く存在するが、遠い側ではその第一のプレート７０３の存在がすくないためである。
【００２３】
この第二の記録素子基板７０２の熱分布は、インクの吐出量、スピードに差を生じさせ画像品位を劣化させる。より高精細な画質を形成するための、超微小液滴では、この現象は無視できない。
【００２４】
対策として、第二の記録素子基板７０２の位置Ｎ（７０４）に遠い側の、第一のプレートの存在を増やす方法もあるが、インクジェット記録ヘッドの巨大化につながり、印刷をおこなうための紙押さえを困難し、性能ならびにコストの面でおおきなデメリットを生む。
【００２５】
また、より高速に印字するためには、第一の記録素子基板７０１と、第二の記録素子基板７０２を、図７にしめす、y方向に伸ばして大きくする方法が有効である。この場合は、さらに、記録素子基板が並んでいる方向と直行する方向にずらす量が大きくなり、しかも記録素子基板も大きくなるため、より熱分布の影響をうけやすくなる。すなわち、高速に印字するに際しても、大きな問題なのである。
【００２６】
本発明は、上記問題点に鑑みなされたものであり、その目的は、高品位の画像を高速で印刷できる、安価なインクジェット記録ヘッドを提供する事である。
【課題を解決するための手段】
【００２７】
上記目的を達成する為に本発明は、
液体を供給するための液体供給口が開口された第一のプレ−トと、
前記液体を吐出する吐出口列と、前記吐出口列から該液体を吐出するために利用されるエネルギーを発生する記録素子とを具備している第一の記録素子基板、及び第二の記録素子基板とを、
有するインクジェット記録ヘッドにおいて、
前記第一のプレートは吐出口列方向に対して垂直な方向に、前記第一、第二の記録素子基板を並置し、
かつ前記第一のプレートは、前記第一、第二の記録素子基板の非設置部分に相当する部分に切り欠き部を有し、
前記きり欠き部は、第一の記録素子基板、およびまたは第二の記録素子基板の吐出口列配列方向における記録素子基板の幅と重複する領域を有し、
かつ前記切り欠き部の一辺は、前記第一の記録素子基板と、第二の記録素子基板とが並んでいる方向とほぼ平行であり、
かつ前記切り欠き部の一辺と対応する前期記録素子基板との間には、前記第一の記録素子基板と、第二の記録素子基板とが並んでいる方向とほぼ平行ではない切り欠き部の別のもう一辺が存在しない事を特徴とする。これにより、記録素子基板の放熱の度合いを均一化させる事が可能になる。
【００２８】
さらに上記インクジェット記録ヘッドの構成において、前記切り欠き部の一辺と、前記第一、第二の記録素子基板が並んでいる方向とほぼ平行である前記切り欠き部に対応する記録素子基板の一辺との最短距離と、
前記第一、第二の記録素子基板が並んでいる方向とほぼ平行である前記対応する記録素子基板の前記一辺と対向する別のもう一辺と、
前記第一、第二の記録素子基板が並んでいる方向とほぼ平行である第一のプレートを構成する辺のうちもっとも近接する辺との最短距離は、
ほぼ等しい事を特徴とする。これにより、記録素子基板の放熱の度合いを均一化させるだけでなく、蓄熱の度合いも均一化させる事が可能となる。
【００２９】
また、液体を供給するための液体供給口が開口された第一のプレ−トと、
前記液体を吐出する吐出口列と、前記吐出口列から該液体を吐出するために利用されるエネルギーを発生する記録素子とを具備している第一の記録素子基板及び第二の記録素子基板とを、
有するインクジェット記録ヘッドにおいて、
前記第一のプレートは吐出口列方向に対して垂直な方向に、前記第一、第二の記録素子基板を並置し、
かつ前記第一のプレートは、前記第一、第二の記録素子基板の非設置部分に相当する部分に開口部を有し、
前記開口部は、第一の記録素子基板、およびまたは第二の記録素子基板の吐出口列配列方向における記録素子基板の幅と重複する領域を有し、
かつ開口部の一辺は、前記第一の記録素子基板と、第二の記録素子基板とが並んでいる方向とほぼ平行であり、
かつ前記開口部の一辺と対応する前期記録素子基板との間には、前記第一の記録素子基板と、第二の記録素子基板とが並んでいる方向とほぼ平行ではない前記開口部の別のもう一辺が存在しない事を特徴とする。これによって、記録素子基板の放熱の度合いを均一化させる事が可能になる。そして、第一のプレートの成型性も向上し、タンクホルダー部に記録素子ユニットを装着するに際の精度も向上する。
【００３０】
さらに、前記開口部をなす一辺と、前記第一、第二の記録素子基板が並んでいる方向とほぼ平行である前記開口部に対応する記録素子基板の一辺との最短距離と、
前記第一、第二の記録素子基板が並んでいる方向とほぼ平行である前記開口部に対応する記録素子基板の前記一辺とは対向する別のもう一辺と、
前記第一、第二の記録素子基板が並んでいる方向とほぼ平行である第一のプレートを構成する辺のうちもっとも近接する一辺との最短距離はほぼ等しい事を特徴とする。これにより、記録素子基板の放熱の度合いを均一化させるだけでなく、蓄熱の度合いも均一化させる事が可能となり、第一のプレートの成型性も向上し、タンクホルダー部に記録素子ユニットを装着する際の精度も向上する。
【発明の効果】
【００３１】
第１、２、３、４、５の実施形態とその派生形態と効果を表１に示す。（表１における５＋２という記載は、横長さＣの中心線（方向Ｂと平行）にたいしての、辺の長さのわりつけである。放熱、蓄熱を均一化させることを目的とするなら、均等にわりつけるのが、自明である。前実施形態では、均一でのわりつけを前提として記載している。）
以上表１と、実施例で説明したように、本発明は、記録素子基板の放熱、蓄熱を均一化し、同時にインクジェット記録ヘッドの組み立て精度をも向上させるという効果がある。これにより、高デューティで印字した場合の、濃度ムラを軽減し、結果として高画質なインクジェット記録ヘッドを安価に提供する事ができる。
【００３２】
さらに、本発明による第一のプレートの形状は、プレート面積（図１で第一のプレートをZ方向より俯瞰した場合にみえる部分）を小さくできる。一般に第一のプレートは、耐熱と硬度に優れたセラミック材料からなり、圧縮成型することにより形を作られる。プレート面積（圧縮面積）を、小さくする事は、セラミック材料の圧縮率をあげる事になり、成型精度、歩留まりを向上させ、高価なセラミック材料を抑制する事にもなる。すなわち、インクジェット記録ヘッドの製造精度をあげるだけでなく、コストダウンも可能になる。
【００３３】
また、プレート面積（圧縮面積）を小さくする事は、第一のプレートの軽量化につながり、最終的には、インクジェット記録ヘッド軽量化にもつながる。これは、これはインクジェット記録ヘッドを走査する、インクジェット記録装置のモータの負荷を減らす事になり、高速走査（高速印字）を容易にする。
【発明を実施するための最良の形態】
【００３４】
以下、図面を参照して本発明の実施形態について説明する。
【００３５】
（第１の実施例）
図１は、本発明のインクジェット記録ヘッドにおける、第一のプレートに記録素子基板が設置されたものの斜視図である。図１において、１０１は第一のプレートであり、１０２は第一のプレート１０１に取り付けられている第一の記録素子基板、１０３は第一のプレート１０１に取り付けられている第二の記録素子基板である。１０４は、第二の記録素子基板１０３と、第一の記録素子基板１０２が並置されている方向をあらわす、方向Ａであり、１０５は方向Ａ１０４に対して直交する方向Ｂである。
【００３６】
第一の記録素子基板１０２にはインクを吐出させるための、吐出口列が方向Ｂ１０５の方向に２列あり、第二の記録素子基板１０３には吐出口列が方向Ｂ１０５の方向に１０列ある。１０６は第一のプレート１０１上の、第一の記録素子基板１０２と第二の記録素子素子基板１０３が配置されていない部分で、かつ第二の記録素子基板１０３の吐出口列の配列方向における記録素子基板の幅（後述する１０８はその幅の長さを表している）と重複する領域を有する第二の記録素子基板１０３に対応した切り欠き部であり、１０７は切り欠き部の一辺であり、方向Ａとほぼ平行にある境界辺である。
【００３７】
１０８は、第二の記録素子基板１０３の方向Ａ１０４と平行な方向の長さであり、第二の記録素子基板の幅のながさである横長さＣである。１０９は、第一のプレート１０１をタンクホルダー部に固定するためのビスがあたる、ビス止め固定部であり、１１０は第一のプレート１０１をタンクホルダー部に固定する際に位置を決めるための突き当て部Ｄであり、１１１は同様の役割をする突き当て部Ｅである。
【００３８】
１１２は、方向Ａ１０４とほぼ平行な第二の記録素子基板の一辺である辺Ｈであり、１１３は、方向Ａ１０４とほぼ平行な第二の記録素子基板の一辺で辺Ｈ１１２とは別の辺である、辺Ｊである。１１４は、辺Ｊ１１３にもっとも近い距離にある、方向Ａ１０４との平行な第一のプレート１０１の辺である、辺Ｋである。  １１５は、辺Ｈ１１２と境界辺１０７との距離である距離Ｌで、１１６は辺Ｊ１１３と辺Ｋ１１４との距離である、距離Ｍである。
【００３９】
本実施例では、第一の記録素子基板１０２からモノクロ画像を記録するためのブラックインク（以下Ｂｋと呼ぶ）を吐出させ、第二の記録素子基板からカラー画像を記録するため、シアン、マゼンタ、イエロー（図１において、Ｂｋ、ｃ、ｍ、ｙと位置を記載。カラーの印刷を１パス双方向にておうなうために、イエローを中心軸にマゼンタ、シアンを対称になるように配置した。）を、吐出するインクジェット記録ヘッドで検討をおこなった。そして、横長さＣ１０８を、7ｍｍとし、境界辺１０７の長さ２１ｍｍとし、距離Ｍ１１６を４ｍｍ、距離Ｌ１１５を２ｍｍとして、カラー画像を、ｙ、ｍ、ｃのインク滴を3ｐｌとし、１パスの双方向で形成したところ、カラーの濃度が高い部分でもムラがでる事のない、高精細な画像を得る事ができた。
【００４０】
また、切り欠き部１０６が第二の記録素子基板１０３の吐出口列の配列方向における記録素子基板の幅と重複しない場合には高精細な画像をえる事はできなかった。図１１をもちいて説明する。図１１において、１１０１は第一のプレート、１１０２は第一の記録素子基板、１１０３は第二の記録素子基板、１１０４は切り欠き部であり、図１１よりわかるように切り欠き部１１０４は第二の記録素子基板１１０３の幅と重複していない。
【００４１】
また、図１２のように重複する切りかき部が存在しても、第一の記録素子基板と、第二の記録素子基板とが並んでいる方向と平行ではない別の切りかき辺が存在した場合には高精細な画像をえる事はできなかった。図１２をもちいて説明する。図１２おいて、１２０１は第一のプレート、１２０２は第一の記録素子基板、１２０３は第二の記録素子基板、１２０４は切り欠き部であり、１２０５は別の切り欠き部であり、１２０６は別の切り欠き部１２０５の一辺であり、第一の記録素子基板１２０２と第二の記録素子基板１２０３とが並置されている向きにたいして平行ではない境界辺である。
【００４２】
（第２の実施例）
第１の実施例では、横長さＣ１０８に対して、境界辺１０７の長さを充分にとった。図２に、境界辺１０７の長さを短くした形態を示す。図２において、２０１は第一のプレートであり、２０２は第一のプレート２０１に取り付けられている第一の記録素子基板、２０３は第一のプレート２０１に取り付けられている第二の記録素子基板である。２０４は、第二の記録素子基板２０３と、第一の記録素子基板２０２が並置されている方向をあらわす、方向Ａであり、２０５は方向Ａ２０４に対して直交する方向Ｂである。
【００４３】
第一の記録素子基板２０２はインクを吐出させるための、吐出口列が方向Ｂ２０５の方向に２列あり、第二の記録素子基板２０３には吐出口列が方向Ｂ２０５の方向に１０列ある。２０６は第一のプレート２０１上の、第一の記録素子基板２０２と第二の記録素子素子基板２０３が配置されていない部分で、かつ第二の記録素子基板２０３の吐出口列の配列方向における記録素子基板の幅（後述する２０８はその幅の長さを表している）と重複する領域を有する第二の記録素子基板２０３に対応した切り欠き部であり、２０７は切り欠き部の一辺であり、方向Ａとほぼ平行にある境界辺である。２０８は、第二の記録素子基板２０３の方向Ａ２０４と平行な方向の長さであり、第二の記録素子基板の幅の長さである横長さＣである。２０９は、第一のプレート２０１をタンクホルダー部に固定するためのビスがあたる、ビス止め固定部であり、２１０は第一のプレート２０１をタンクホルダー部に固定する際に位置を決めるための突き当て部Ｄであり、２１１は同様の役割をする突き当て部Ｅである。２１２（図中斜線部）は、突き当て部のＡ２１０のタンクホルダーに突き当てられる、突き当て面Ｆであり、２１３（図中斜線部）は突き当て部Ｅ２１１のタンクホルダーに突き当てられる突き当て面Ｇである。
【００４４】
２１４は、方向Ａ２０４とほぼ平行な第二の記録素子基板の一辺である辺Ｈであり、２１５は、方向Ａ１０４とほぼ平行な第二の記録素子基板の一辺で辺Ｈ２１４とは別の辺である、辺Ｊである。２１６は、辺Ｊ２１５にもっとも近い距離にある、方向Ａ２０４との平行な第一のプレートの辺である、辺Ｋである。
【００４５】
２１７は、辺Ｈ２１４と境界辺２０７との距離である距離Ｌで、２１８は辺Ｊ２１５と辺Ｋ２１６との距離である、距離Ｍである。
【００４６】
本実施例では、第一の記録素子基板２０２からモノクロ画像を記録するためのＢｋを吐出させ、第二の記録素子基板からカラー画像を記録するため、シアン、マゼンタ、イエロー（図１において、Ｂｋ、ｃ、ｍ、ｙと位置を記載。カラーの印刷を双方向にておうなうために、イエローを中心軸にマゼンタ、シアンを対称になるように配置した。）を、吐出するインクジェット記録ヘッドで検討をおこなった。
【００４７】
そして、横長さＣ２０８を、7ｍｍとし、境界辺２０７の長さ７ｍｍとし、距離Ｍ２１８を４ｍｍ、距離Ｌ２１７を２ｍｍとしてカラー画像を、ｙ、ｍ、ｃのインク滴を３ｐｌとし、１パスの双方向で形成したところ、カラーの濃度が高い部分でもムラがでる事のない、高精細な画像を得る事ができた。
【００４８】
また、第二の実施形態では、第一のチッププレート２０１を、タンクホルダー部に固定する場合に精度よく接合できるというメリットがあった。なぜなら第一のプレート２０１を成型する際に、突き当て面Ｆ２１２と、突き当て面Ｇ２１３を、同一平面を有する型で、製作できるからである。
【００４９】
（第３の実施例）
第２の実施例においては、境界辺２０７を横長さＣ２０８より長くし、第二の記録素子基板の熱分布を均一化させ、同時に突き当て面Ｆ２１２と、突き当て面Ｇ２１３を、同一平面を有する型でつくり、タンクホルダーとの接合精度をあげて、高精細な画像を達成した。第３の実施例では、第二の記録素子基板の熱分布を均一化させる効果はそのままにし、さらに突き当て面Ｆ２１２と、突き当て面Ｇ２１３の成型精度をあげ、同時に第一のプレートの成型歩留まりをも向上させる物であった。以下、図３を用い説明する。
【００５０】
図３において、３０１は第一のプレートであり、３０２は第一のプレート３０１に取り付けられている第一の記録素子基板、３０３は第一のプレート３０１に取り付けられている第一の記録素子基板である。３０４は、第二の記録素子基板３０３と、第一の記録素子基板３０２が並列されている方向をあらわす、方向Ａであり、３０５は方向Ａ３０４に対して直交する方向Ｂである。
【００５１】
第一の記録素子基板３０２はインクを吐出させるための、吐出口列が方向Ｂの方向に２列あり、第二の記録素子基板３０３には吐出口列が方向Ｂの方向に１０列ある。３０６は第一のプレート３０１上の、第一の記録素子基板３０２と第二の記録素子素子基板３０３が配置されていない部分で、かつ第二の記録素子基板３０３の吐出口列の配列方向における記録素子基板の幅（後述する３０８はその幅の長さを表している）と重複する領域を有する第二の記録素子基板３０３に対応した開口部であり、３０７開口部の一辺であり方向Ａとほぼ平行にある、開口部をなす一辺である。
【００５２】
３０８は、第二の記録素子基板３０３の方向Ａ３０４と平行な方向の長さであり、第二の記録素子基板の幅の長さ横長さＣである。３０９は、第一のプレート３０１をタンクホルダー部に固定するためのビスがあたる、ビス止め固定部であり、３１０は第一のプレート３０１をタンクホルダー部に固定する際に位置を決めるための突き当て部Ｄであり、３１１は同様の役割をする突き当て部Ｅである。２１２（図中斜線部）は、突き当て部のＡ３１０のタンクホルダーに突き当てられる、突き当て面Ｆであり、３１３（図中斜線部）は突き当て部Ｅ３１１のタンクホルダーに突き当てられる突き当て面Ｇである。
【００５３】
３１４は、方向Ａ３０４とほぼ平行な第二の記録素子基板の一辺である辺Ｈであり、３１５は、方向Ａ３０４とほぼ平行な第二の記録素子基板の一辺で辺Ｈ３１４とは別の辺である、辺Ｊである。３１６は、辺Ｊ３１５にもっとも近い距離にある、方向Ａ３０４との平行な第一のプレートの辺である、辺Ｋである。
【００５４】
３１７は、辺Ｈ３１４と開口部をなす一辺３０７との距離である、距離Ｌで、３１８は辺Ｊ３１４と辺Ｋ３１５との距離である、距離Ｍである。
【００５５】
図２の形態では、突き当て部Ｅ２１１を先端とする部分が、成型上バランスが悪く（突起型の形状であるため、成型時に引け、曲がり（特にＡ方向）を生ずるので）、第一のプレート２０１の歩留まりが若干第一の１実施例の第一のプレート１０１より、減少した。図３のような開口部３０６を有する形状であるならば曲がりに強く、第一の実施例における第一のプレート１０１の成型歩留まりとほぼ同等であった。
【００５６】
そして、第一の記録素子基板３０２からモノクロ画像を記録するためのＢｋを吐出させ、第二の記録素子基板からカラー画像を記録するため、シアン、マゼンタ、イエロー（図１において、Ｂｋ、ｃ、ｍ、ｙと位置を記載。カラーの印刷を双方向にておうなうために、イエローを中心軸にマゼンタ、シアンを対称になるように配置した。）を、吐出するインクジェット記録ヘッドで検討をおこなった。
【００５７】
そして、横長さＣ３０８を、7ｍｍとし、開口部をなす一辺３０７の長さを１８ｍｍとし、距離Ｌ３１７を２ｍｍとし、Ｍ３１８を４ｍｍとし、カラー画像を、ｙ、ｍ、ｃのインク滴を３ｐｌとし、１パスの双方向で形成したところ、カラーの濃度が高い部分でもムラがでる事のない、高精細な画像を得る事ができた。
【００５８】
第３の実施形態では開口部３０６は、長方形をベースとしその４角にＲ部を設けた形で、第一のプレート３０１をぬいた形態であるが、開口部３０６を三角形をベースにしたもの、台形をベースにしたものでも同様の効果はえられた。
【００５９】
図４において図３の開口部３０６を三角形にした場合の形態を示す。４０１は第一のプレート、４０２は第一の記録素子基板、４０３は第二の記録素子基板、４０４は開口部でありあり図４からわかるように第二の記録素子基板４０３の方向に底辺をおいた三角形をしている。
【００６０】
図５に、図３の開口部３０６を台形をベースにした場合の形態を示す。５０１は第一のプレート、５０２は第一の記録素子基板、５０３は第二の記録素子基板、５０４は開口部であり、図５からわかるように、第二の記録素子基板５０３の方向に底辺をおいた台形形状をしている。
【００６１】
しかし、図６のように横長さＣ６０３をより長い、開口部６０１をなす一辺６０２はあるが、第二の記録素子基板の間に、開口部６０１の別のもう一辺６０４が存在し、それが横長さＣ６０３より短い形態では、第二の記録素子基板の熱分布を均一化させる効果がうすく、高精細な画像をえる事ができなかった。
【００６２】
（第４の実施例）
第１の実施形態では、距離Ｍ１１５と、距離Ｌ１１６の長さを等しくしなかった。
【００６３】
そのため、３ｐｌのカラー１パスの双方向印字では、濃度が高い部分でもムラがでる事のない、高精細な画像を得る事ができたが、２ｐｌのカラー１パスの双方向印字においてムラが発生した。
【００６４】
第４の実施例では、図１において距離Ｍ１１５を２ｍｍとし、距離L１１６を２ｍｍとしてお互いの長さを等しくし、横長さＣ１０８を、７ｍｍとし、境界辺１０７の長さ２１ｍｍとしヘッドを作った。そして、カラー画像を、ｙ、ｍ、ｃのインク滴を２ｐｌとし、１パスの双方向で形成したところ、カラーの濃度が高い部分でもムラがでる事のない、高精細な画像を得る事ができた。
【００６５】
（第５の実施例）
また、第３の実施形態では、距離Ｍ３１８と、距離Ｌ３１７の長さを等しくしなかった。
【００６６】
第５の実施例では、図３において距離L３１７を２ｍｍとし、距離M３１８を２ｍｍとしてお互いの長さを等しくし、横長さＣ３０８を、７ｍｍとし、境界辺３０７の長さ２１ｍｍとし、カラー画像を、ｙ、ｍ、ｃのインク滴を２ｐｌとし形成したところ、１パスの双方向で形成したところ、カラーの濃度が高い部分でもムラがでる事のない、高精細な画像を得る事ができた。
【００６７】
（第６の実施例）
図９は第３の実施形態（図３において、第二の記録素子基板３０２に対応した開口部３０６を有する形態）に、あらたに第一の記録素子基板３０２に対応した切りかき部をもうけたものである。図９において、９０１は第一のプレート、９０２は第一の記録素子基板、９０３は第二の記録素子基板、９０４は開口部、９０５は第一の記録素子基板９０２に対応した切り欠き部であり、９０６は第一の記録素子基板９０２と、第二の記録素子基板９０３とが並置されている方向とほぼ平行である、切り欠き部９０５の一辺である辺Ｐであり、９０７は第一の記録素子基板９０２の吐出口列の配列方向と直交する、第一の記録素子基板９０２をなす一辺である辺Ｑである。辺Ｑ９０７の長さを３ｍｍとし、辺Ｐ９０６の長さを1５ｍｍとし、開口部９０４の関係は第３の実施形態と同様にして、カラー画像を、ｙ、ｍ、ｃのインク滴を２ｐｌとし形成し、ＢＫの画像を２ｐｌとして１パスの双方向で形成したところ、カラーの濃度、ＢＫ濃度が高い部分でもムラのでる事のない、高精細な画像を得る事ができた。
【００６８】
すなわち、第１、２、３、４、５の実施例では、開口部または、切り欠き部を第二の記録素子基板を基準に考えたが、本特許は第二の記録素子基板に限定するもではない。第一の記録素子基板を基準にし開口部もしくは、切り欠き部を設けてもよく、開口部、切り欠き部を複数箇所もうけてもよい。
【００６９】
（第７の実施例）
図１０は、切り欠き部を第一の記録素子基板と、第二の記録素子基板の両方に対応する（第二の記録素子基板の吐出口列の配列方向における記録素子基板の幅と、第一の記録素基板の幅と両方に重複する）形態を示す実施例である。図１０において、１００１は第一のプレート、１００２は第一の記録素子基板、１００３は第二の記録素子基板であり、１００４は切り欠き部である。１００５は切り欠き部１００４の一辺である境界辺であり、１００６は境界辺１００５に近い側にある記録素子基板１００３の一辺である辺Ｈであり、１００７は第二の記録素子基板１００３の一辺で辺Ｈ１００６とは別の辺である辺Ｊである。１００８は、辺Ｊ１００７にもっとも近い距離にある、第一のプレート１００１の一辺である、辺Ｋである。（境界辺１００５、辺H１００６、辺J１００７、辺１００８のおのおの位置関係ならびに第二の記録素子基板１００３との位置関係は実施例１と同じである。）
１００９は辺Ｈ１００６と境界辺１００５との距離である距離Ｌで、１１１０は辺Ｊ１００７と辺Ｋ１００８との距離である、距離Ｍである。
【００７０】
本実施形態では、切りかき部１００４を第二の記録素子基板１００３の吐出口列の配列方向における記録素子基板の幅と、第一の記録素基板１００１の幅と両方に重複する形に配置し、距離Ｌ１００９を2ｍｍ、距離Ｍ１００６を２ｍｍとして（境界辺１００５の長さは３０ｍｍ）、他の実施例と同様にヘッドとして組みカラー画像を、ｙ、ｍ、ｃのインク滴を２ｐｌとし１パスの双方向で形成したところ、カラーの濃度が高い部分でもムラがでる事のない、高精細な画像を得る事ができた。
【００７１】
（第８の実施例）
第１、２、３、４、５、６および第７の実施例にて、ほぼ平行と記載したが、その平行度は０．８以下である。理想的な値は、平行度０であるが、インクジェット記録ヘッド製作上それはありえない。
【００７２】
上述した実施形態で製作したヘッドでは平行度０．８以下までは高精細な画像をえる事ができた。故に、平行度０．８以下であれば本発明に含まれる。
【００７３】
また、実施例４、５において、距離Ｍと、距離Ｌを２ｍｍとして、ほぼ等しくした。これも、理想的には長さの差は０であるが、製作上ありえない。本実施形態では、長さの差±０．２ｍｍまでは、同様の効果（カラー画像を、ｙ、ｍ、ｃのインク滴を２ｐｌとし、１パスの双方向で形成した際には、カラーの濃度が高い部分で微小なムラが発生しない）高精細な画像を得る事ができた。しかし、長さの差±０．２ｍｍの範囲を逸脱すると、３ｐｌの画像では画像のムラは発生しなかったが、２ｐｌではムラが発生した。故に、長さの差が±０．２ｍｍ以内であれば本発明に含まれる。
【００７４】
【表１】
2006103037.tif 000003
【図面の簡単な説明】
【００７５】
【図１】第１の実施例における第一のプレートに、記録素子基板を接合させた斜視図。
【図２】第２の実施例における第一のプレートに、記録素子基板を接合させた斜視図。
【図３】第３の実施例における第一のプレートに、記録素子基板を接合させた斜視図。
【図４】第３の実施例の派生形態である第一のプレートに、記録素子基板を接合させた斜視図１。
【図５】第３の実施例の派生形態である第一のプレートに、記録素子基板を接合させた斜視図２。
【図６】開口部存在するが効果のでない形態である第一のプレートに、記録素子基板を接合させた斜視図。
【図７】従来の第一のプレートに記録素子基板を接合させた斜視図。
【図８】従来のインクジェット記録ヘッドを、斜め下方からみた分解斜視図。
【図９】第３の実施例の派生形態である、第一のプレートに記録素子基板を接合させた斜視図。
【図１０】第１の実施例の派生形態である第一のプレートに、記録素子基板を接合させた斜視図。
【図１１】記録素子基板の幅と重複するだけの切りかき部を有しない第一のプレートに、記録素子基板を接合させた斜視図。
【図１２】記録素子基板の幅と重複する切りかき部が存在しても、第一、第二の記録素子基板とが並んでいる方向と平行ではい別の切り欠き部が存在する第一のプレートに、記録素子基板を接合させた斜視図。
【符号の説明】
【００７６】
１０１  第一のプレート
１０２  第一の記録素子基板
１０３  第二の記録素子基板
１０４  方向Ａ
１０５  方向Ｂ
１０６  切り欠き部
１０７  境界辺
１０８  横長さＣ
１０９  ビス止め固定部
１１０  突き当て部Ｄ
１１１  突き当て部Ｅ
１１２  辺H
１１３  辺J
１１４  辺K
１１５  距離L
１１６  距離M
２０１  第一のプレート
２０２  第一の記録素子基板
２０３  第二の記録素子基板
２０４  方向Ａ
２０５  方向Ｂ
２０６  切り欠き部
２０７  境界辺
２０８  横長さＣ
２０９  ビス止め固定部
２１０  突き当て部Ｄ
２１１  突き当て部Ｅ
２１２  突き当て面Ｆ
２１３  突き当て面Ｇ
２１４  辺H
２１５  辺J
２１６  辺K
２１７  距離L
２１８  距離M
３０１  第一のプレート
３０２  第一の記録素子基板
３０３  第二の記録素子基板
３０４  方向Ａ
３０５  方向Ｂ
３０６  開口部
３０７  開口部をなす一辺
３０８  横長さＣ
３０９  ビス止め固定部
３１０  突き当て部Ｄ
３１１  突き当て部Ｅ
３１２  突き当て面Ｆ
３１３  突き当て面Ｇ
３１４  辺H
３１５  辺J
３１６  辺K
３１７  距離L
３１８  距離M
４０１  第一のプレート
４０２  第一の記録素子基板
４０３  第二の記録素子基板
４０４  開口部
５０１  第一のプレート
５０２  第一の記録素子基板
５０３  第二の記録素子基板
５０４  開口部
６０１  開口部
６０２  開口部をなす一辺
６０３  横長さＡ
６０４  開口部をなす別のもう一辺
７０１  第一の記録素子基板
７０２  第二の記録素子基板
７０３  第一のプレート
７０４  位置Ｎ
８０１  第一の記録素子基板
８０２  第二の記録素子基板
８０３  第一のプレート
８０４  電気配線テープ
８０５  第二のプレート
８０６  タンクホルダー
８０７  流路形成部材
８０８  ジョイントシール
８０９  フィルター
８１０  シールゴム
８１１  インク供給部材
８１２  吐出口
８１３  インク供給口
８１４  外部信号入力端子
８１５  インク流路
９０１  第一のプレート
９０２  第一の記録素子基板
９０３  第二の記録素子基板
９０４  切り欠き部
９０５  開口部
１００１  第一のプレート
１００２  第一の記録素子基板
１００３  第二の記録素子基板
１００４  切り欠き部
１００５  境界辺
１００６  辺Ｈ
１００７  辺Ｊ
１００８  辺Ｋ
１００９  距離Ｌ
１０１０  距離Ｍ
１１０１  第一のプレート
１１０２  第一の記録素子基板
１１０３  第二の記録素子基板
１１０４  切り欠き部
１２０１  第一のプレート
１２０２  第一の記録素子基板
１２０３  第二の記録素子基板
１２０４  切り欠き部
１２０５  別の切り欠き部
１２０６  境界辺
【図１】
2006103037.tif 000004
【図２】
2006103037.tif 000005
【図３】
2006103037.tif 000006
【図４】
2006103037.tif 000007
【図５】
2006103037.tif 000008
【図６】
2006103037.tif 000009
【図７】
2006103037.tif 000010
【図８】
2006103037.tif 000011
【図９】
2006103037.tif 000012
【図１０】
2006103037.tif 000013
【図１１】
2006103037.tif 000014
【図１２】
2006103037.tif 000015